(57)【要約】【課題】  従来は少なくとも暗号鍵や認証鍵及びＡＶデータの認識はできなくとも、伝送ＡＶストリームを傍受し、それを記憶することも容易に実施できる。【解決手段】  ＡＶストリーム再生装置１０は、記録媒体１０１から再生したＡＶストリームを暗号化して、アンテナ１０９を介して無線送信する。暗号化されたＡＶストリームの暗号解読用の鍵情報は、ＡＶストリーム再生装置１０により着脱可能記憶媒体１０８に記憶される。リモートコントロール装置２０はこの記憶媒体１０８を再生して赤外線にて暗号解読用の鍵情報をＡＶコンテンツ再生装置３０ａへ送信する。ＡＶコンテンツ再生装置３０ａは、アンテナ３０１ａを介して受信した暗号化されたＡＶコンテンツを、受光部３０４ａで受信した鍵情報を用いて暗号解読してＡＶデータを再生する。これにより、暗号化されたＡＶストリームと暗号解読用の鍵情報とが同時に第三者に漏洩する可能性を少なくできる。【選択図】            図１
2004320708.tif 000002
【特許請求の範囲】
【請求項１】
ＡＶデータを暗号化して得たＡＶストリームを第１の伝送信号に変換して第１の伝送路へ送信する第１の送信手段と、前記暗号化されたＡＶストリームの暗号解読のための鍵情報を着脱可能記憶装置に記憶する記憶手段とを備えたＡＶストリーム再生装置と、
前記ＡＶストリーム再生装置から取り外された前記着脱可能記憶装置が装着されることにより、該着脱可能記憶装置に記憶されている前記鍵情報を再生する鍵情報再生手段と、前記鍵情報再生手段により再生された前記鍵情報を第２の伝送信号に変換して第２の伝送路へ送信する第２の送信手段とを備えたリモートコントロール装置と、
前記第１の伝送路を介して入来した前記第１の伝送信号を受信して前記暗号化されたＡＶストリームを復号する第１の受信手段と、前記第２の伝送路を介して入来した前記第２の伝送信号を受信して前記暗号解読のための鍵情報を復号する第２の受信手段と、前記第１の受信手段により得られた暗号化されたＡＶストリームを、前記第２の受信手段により得られた暗号解読のための鍵情報を用いて暗号解読する暗号解読手段と、該暗号解読手段により暗号解読して得られたＡＶデータを復号してＡＶコンテンツを再生する再生手段とを備えたＡＶコンテンツ再生装置と
を有することを特徴とするＡＶストリーム伝送システム。
【請求項２】
ＡＶデータを暗号化して得たＡＶストリームを第１の伝送信号に変換して第１の伝送路へ送信する第１の送信手段と、前記暗号化されたＡＶストリームの暗号解読のための鍵情報を、読み出し時に消去される構成の着脱可能記憶装置に記憶する記憶手段とを備えたＡＶストリーム再生装置と、
前記ＡＶストリーム再生装置から取り外された前記読み出し時に消去される構成の着脱可能記憶装置が装着されることにより、該着脱可能記憶装置に記憶されている前記鍵情報を読み出して該鍵情報を消去させる鍵情報再生手段と、前記鍵情報再生手段により読み出された前記鍵情報を第２の伝送信号に変換して第２の伝送路へ送信する第２の送信手段とを備えたリモートコントロール装置と、
前記第１の伝送路を介して入来した前記第１の伝送信号を受信して前記暗号化されたＡＶストリームを復号する第１の受信手段と、前記第２の伝送路を介して入来した前記第２の伝送信号を受信して前記暗号解読のための鍵情報を復号する第２の受信手段と、前記第１の受信手段により得られた暗号化されたＡＶストリームを、前記第２の受信手段により得られた暗号解読のための鍵情報を用いて暗号解読する暗号解読手段と、該暗号解読手段により暗号解読して得られたＡＶデータを復号してＡＶコンテンツを再生する再生手段とを備えたＡＶコンテンツ再生装置と
を有することを特徴とするＡＶストリーム伝送システム。
【請求項３】
前記ＡＶストリーム再生装置は、ＡＶコンテンツに関するＡＶデータが予め記録されている記録媒体から任意のＡＶコンテンツのＡＶデータを読み出す読み出し手段と、該読み出し手段から読み出された前記ＡＶデータから前記暗号化されたＡＶストリームを生成して前記第１の送信手段に供給すると共に、前記暗号解読のための鍵情報を生成して出力する暗号化手段とを更に有することを特徴とする請求項１又は２記載のＡＶストリーム伝送システム。
【発明の詳細な説明】
【技術分野】
【０００１】
本発明はＡＶストリーム伝送システムに係り、特に著作権を保護する必要がある音声データ及び画像データからなるＡＶストリームを送受信するＡＶストリーム伝送システムに関する。
【背景技術】
【０００２】
現在、ディジタル信号の無線伝送技術の開発が無線業界で活発に進められ、世界的に統一した規格化を行っている。例えば、規格の一つである米国電気電子技術者協会（ＩＥＥＥ）が策定したＩＥＥＥ８０２.１１ａでは、最大５４Ｍｂｐｓのデータ伝送が可能であり、この伝送量はＭＰＥＧ２（Moving Picture Experts Group phase 2）で代表される高音質、高画質のディジタル圧縮信号を伝送するのに十分な値である。また、ｘＤＳＬで代表される有線系のネットワーク技術においても、高画質、高音質のＡＶストリームの伝送が可能である。ＡＶ機器メーカーでは、これらの有線及び無線伝送技術を利用したＡＶストリームの無線伝送システムの提案化を進めており、既に市場に出回り始めている。
【０００３】
また、著作権保護などを目的として、ＡＶストリームを暗号化して伝送する方式が提案されている（例えば、特許文献１及び特許文献２参照）。すなわち、特許文献１には、ＡＶデータを送信するＡＶデータ送信機器と、ＡＶデータを受信する相手側の送受信機器とから構成され、過去に認証を行った履歴がある相手側の送受信機器が伝送路に接続されると、互いの機器がある規則に基づく機器であることを相互に確認する機器認証作業と、同時に著作物を暗号化及び復号化するための暗号鍵を共有する鍵交換作業とを行う認証手段をＡＶデータ送信機器が有し、暗号化されたＡＶデータストリームを伝送する構成が開示されている。
【０００４】
また、特許文献２には、複数の伝送路の電波を受信し、それらの電波を復調し、トランスポートストリームを再生し、それらのトランスポートストリームをデスクランブルし、その中から１個のトランスポートストリームを選択し、選択したトランスポートストリームからスクランブル鍵を含む限定受信情報を抽出し、複数の限定受信システムに対応した複数のマスタ鍵を格納し、抽出された限定受信情報を復号してスクランブル鍵を取り出すディジタル放送受信装置において、所定の方法により限定受信システムを特定することで複数のマスタ鍵から１個のマスタ鍵を選択し、スクランブル鍵を復号して、スクランブル鍵でトランスポートストリームのデスクランブル化を行う構成が開示されている。これら特許文献１及び２のどちらも、ＡＶデータと暗号鍵や認証鍵情報を、同一の伝送路を用いて伝送する方式によるものである。
【０００５】
【特許文献１】特開２０００−１１５１５９
【特許文献２】特開２００２−１２５２１３
【発明の開示】
【発明が解決しようとする課題】
【０００６】
しかるに、ＡＶストリームを暗号化して伝送する従来の方式を用いた場合、第三者が不正に伝送路上のＡＶストリームを傍受し、そのＡＶストリームのフォーマットを理解するものであれば、暗号鍵や認証情報とＡＶデータとを分離した上で暗号解読を行うことも不可能ではない。
【０００７】
特に電波を用いた無線伝送の特徴として、３６０度の全方位に対して信号を発射することが可能であり、さらに例えば壁や天井のような遮蔽物を透過してデータを伝送することが可能という点から、従来は少なくとも暗号鍵や認証鍵及びＡＶデータの認識はできなくとも、伝送ＡＶストリームを傍受し、それを記憶することも容易に実施できるという問題がある。
【０００８】
また、着脱可能なメモリに認証のための鍵情報が記録されている場合、不正なメモリ読出し装置を用いれば鍵情報を得ることができ、暗号化されたＡＶデータ（著作物）を不正に解読することも可能であるという問題もある。
【０００９】
本発明は上記の点に鑑みなされたもので、伝送路中にあるＡＶストリームを不正に傍受したとしても、容易に解読できないようにするＡＶストリーム伝送システムを提供することを目的とする。
【００１０】
また、本発明の他の目的は、鍵認証のための鍵情報を不正に傍受したとしても、容易に解読できないようにするＡＶストリーム伝送システムを提供することにある。
【課題を解決するための手段】
【００１１】
上記の目的を達成するため、本発明は、ＡＶデータを暗号化して得たＡＶストリームを第１の伝送信号に変換して第１の伝送路へ送信する第１の送信手段と、暗号化されたＡＶストリームの暗号解読のための鍵情報を着脱可能記憶装置に記憶する記憶手段とを備えたＡＶストリーム再生装置と、ＡＶストリーム再生装置から取り外された着脱可能記憶装置が装着されることにより、着脱可能記憶装置に記憶されている鍵情報を再生する鍵情報再生手段と、鍵情報再生手段により再生された鍵情報を第２の伝送信号に変換して第２の伝送路へ送信する第２の送信手段とを備えたリモートコントロール装置と、第１の伝送路を介して入来した第１の伝送信号を受信して暗号化されたＡＶストリームを復号する第１の受信手段と、第２の伝送路を介して入来した第２の伝送信号を受信して暗号解読のための鍵情報を復号する第２の受信手段と、第１の受信手段により得られた暗号化されたＡＶストリームを、第２の受信手段により得られた暗号解読のための鍵情報を用いて暗号解読する暗号解読手段と、暗号解読手段により暗号解読して得られたＡＶデータを復号してＡＶコンテンツを再生する再生手段とを備えたＡＶコンテンツ再生装置とを有する構成としたものである。
【００１２】
この発明では、暗号化されたＡＶストリームは第１の伝送路を介してＡＶストリーム再生装置からＡＶコンテンツ再生装置へ伝送し、他方、暗号化されたＡＶストリームの暗号解読用の鍵情報は第２の伝送路を介してリモートコントロール装置からＡＶコンテンツ再生装置へ伝送するようにしたため、暗号化されたＡＶストリームと暗号解読用の鍵情報とが同時に第三者に漏洩する可能性を少なくできる。
【００１３】
また、上記の目的を達成するため、本発明は、ＡＶストリーム再生装置の記憶手段を、暗号化されたＡＶストリームの暗号解読のための鍵情報を、読み出し時に消去される構成の着脱可能記憶装置に記憶する構成とし、リモートコントロール装置の鍵情報再生手段を、ＡＶストリーム再生装置から取り外された読み出し時に消去される構成の着脱可能記憶装置が装着されることにより、着脱可能記憶装置に記憶されている鍵情報を読み出して鍵情報を消去させる構成としたものである。
【００１４】
この発明では、着脱可能記憶装置をリモートコントロール装置に装着したときに、当該着脱記憶装置に記憶されている鍵情報が読み出されることにより、当該着脱可能記憶装置の記憶されている鍵情報が消去されるため、その後に着脱可能記憶装置から鍵情報を読み出そうとしても、読み出せないようにできる。すなわち、本発明では、鍵情報の交換手順の途中段階で不正に鍵情報を取り出した場合は、認証手段を拒絶することができる。
【００１５】
また、上記の目的を達成するため、本発明は、ＡＶストリーム再生装置は、ＡＶコンテンツに関するＡＶデータが予め記録されている記録媒体から任意のＡＶコンテンツのＡＶデータを読み出す読み出し手段と、読み出し手段から読み出されたＡＶデータから暗号化されたＡＶストリームを生成して第１の送信手段に供給すると共に、暗号解読のための鍵情報を生成して出力する暗号化手段とを更に有することを特徴とする。この発明では、記録媒体から任意のＡＶコンテンツのＡＶデータを読み出して暗号化されたＡＶストリームとして伝送することができる。
【発明の効果】
【００１６】
本発明によれば、暗号化されたＡＶストリームは第１の伝送路を介してＡＶストリーム再生装置からＡＶコンテンツ再生装置へ伝送し、他方、暗号化されたＡＶストリームの暗号解読用の鍵情報は第２の伝送路を介してリモートコントロール装置からＡＶコンテンツ再生装置へ伝送することにより、暗号化されたＡＶストリームと暗号解読用の鍵情報とが同時に第三者に漏洩する可能性を少なくしたため、高品質のＡＶストリームが第三者に漏洩した場合においても、暗号解読鍵情報は同時に漏洩する可能性は少なく、ＡＶストリームを正常に再生することは困難であり、著作権の保護性能を強化できる。
【００１７】
また、本発明によれば、着脱可能記憶装置として記憶鍵情報の読み出し時に記憶鍵情報が消去される構成とすることにより、鍵情報の交換手順の途中段階で不正に鍵情報を取り出した場合は、認証手段を拒絶することができ、その結果、従来以上に著作権保護機能を強化することができる。
【発明を実施するための最良の形態】
【００１８】
次に、本発明の実施の形態について図面と共に説明する。図１は本発明になるＡＶストリーム伝送システムの一実施の形態のシステム構成図を示す。同図に示すように、ＡＶストリーム伝送システムは、ＡＶストリーム再生装置１０と、リモートコントロール装置２０と、ＡＶコンテンツ再生装置３０ａ及び３０ｂから構成されている。
【００１９】
ＡＶストリーム再生装置１０は、著作権を保護する必要がある音声データ及び画像データからなるＡＶストリームが予め記録されているＤＶＤ（Digital Versatile Disc）やＨＤＤや記録済みの磁気テープなどの記録媒体１０１が搭載されており、この記録媒体１０１から高画質かつ高音質のＡＶデータを記録したり再生することができる機器であり、また、記録媒体１０１から再生したＡＶデータを暗号鍵で暗号化して得た暗号化されたＡＶストリームはＡＶストリーム送信用無線アンテナ１０９から無線電波で送信し、かつ、暗号解読に必要な鍵情報は着脱可能記憶装置１０８に格納する機能を備えている。ＡＶストリーム送信用無線アンテナ１０９が例えば無指向性であれば、送信される暗号化されたＡＶストリームは広い範囲で受信可能である。
【００２０】
リモートコントロール装置２０は、暗号解読に必要な鍵情報が記憶された着脱可能記憶装置１０８がメモリスロット２０１に挿入されると、着脱可能記憶装置１０８から暗号解読に必要な鍵情報を再生して所定フォーマットに変換して、その鍵情報送信用発光部２０４から赤外線で送信する、狭指向性の伝送回路を有する。
【００２１】
ＡＶコンテンツ再生装置３０ａ及び３０ｂは、リモートコントロール装置２０で操作可能なＰＤＰやプロジェクタであり、いずれもＡＶストリーム受信用無線アンテナ３０１ａ及び３０１ｂと、鍵情報受信用受光部３０４ａ及び３０４ｂとを有しているが、ここではＡＶコンテンツ再生装置３０ａはリモートコントロール装置２０から赤外線で送信された鍵情報を受光したＡＶコンテンツ再生装置であり、ＡＶコンテンツ再生装置３０ｂはリモートコントロール装置２０から赤外線で送信された鍵情報を受光していないＡＶコンテンツ再生装置であるものとしている。
【００２２】
ＡＶコンテンツ再生装置３０ａ及び３０ｂは、いずれもＡＶストリーム受信用無線アンテナ３０１ａ及び３０１ｂで受信した暗号化されたＡＶストリームを復号化して、その復号ＡＶデータを鍵情報受信用受光部３０４ａ及び３０４ｂで受光した鍵情報を復号して得た暗号鍵で暗号解読を行ってＡＶコンテンツを再生する構成であるが、ここではＡＶコンテンツ再生装置３０ａは鍵情報を受光できたので、正常に暗号解読ができてＡＶコンテンツの再生ができているのに対し、ＡＶコンテンツ再生装置３０ｂは鍵情報を受光できないので、暗号解読ができず、ＡＶコンテンツの再生は行われない。
【００２３】
次に、本実施の形態の構成及び動作について更に詳細に説明する。図２は本発明になるＡＶストリーム伝送システムを構成する各部の一実施の形態のブロック図を示す。同図中、図１と同一構成部分には同一符号を付してある。ただし、図１のＡＶコンテンツ再生装置３０ａ及び３０ｂは構成が同一であるので、図示の便宜上、図２ではＡＶコンテンツ再生装置３０として一つのみ図示している。
【００２４】
図２において、ＡＶストリーム再生装置１０は、ＡＶデータが予め記録されているＤＶＤやＨＤＤ等の記録媒体１０１からＡＶデータ読み出し手段１０３によりＡＶデータを読み出して暗号化手段１０４に供給し、ここで暗号鍵（暗号化鍵）を使用して暗号化を行う。暗号化手段１０４により暗号化されたＡＶデータは、第一の伝送信号生成手段１０５に供給され、ここで例えばＩＥＥＥ８０２.１１ａのような無線フォーマットに変換された後、暗号化ＡＶデータ送信手段１０７に供給されて送信ＡＶストリームとされて図１に示したＡＶストリーム送信用無線アンテナ１０９を介して無線送信される。
【００２５】
一方、暗号化手段１０４は、暗号化されたＡＶデータとは別に、暗号化されたＡＶデータを復号化するための暗号解読に必要な鍵情報を暗号鍵情報記憶手段１０６に供給し、これにより例えばスマートメディアやＳＤカードのような着脱可能記憶装置１０８に記憶させる。
【００２６】
暗号解読に必要な鍵情報が記憶された着脱可能記憶装置１０８は、ユーザによりＡＶストリーム再生装置１０から取り出されて、リモートコントロール装置２０のメモリスロット２０１に挿入される。すると、リモートコントロール装置２０は、暗号解読に必要な鍵情報をリモートコントロール装置２０からＡＶコンテンツ再生装置３０に伝送するために、暗号鍵情報再生手段２０２によって着脱可能記憶装置１０８から暗号解読に必要な鍵情報を読み出して第二の伝送信号生成手段２０３に供給する。
【００２７】
第二の伝送信号生成手段２０３は、入力された暗号解読に必要な鍵情報を、赤外線により送信可能な信号フォーマットに変換した後に、鍵情報送信用発光部２０４から再生したいＡＶコンテンツ再生装置３０に対して鍵情報を赤外線で送信する。
【００２８】
ＡＶコンテンツ再生装置３０は、ＡＶストリーム再生装置１０から無線送信されて空間の伝送路４０を伝搬して入来した暗号化されたＡＶストリームを、ＡＶストリーム受信用無線アンテナ（図１の３０１ａ、３０１ｂ）を介して暗号化ＡＶデータ受信手段３０２にて受信し、その受信信号を伝送信号復号手段３０３に供給して、送信信号生成の際に使用した無線フォーマットに準拠して復号を行う。これにより、伝送信号復号手段３０３からは第一の伝送信号生成手段１０５の入力信号に対応した暗号化されたＡＶデータが取り出される。
【００２９】
一方、ＡＶコンテンツ再生装置３０は、リモートコントロール装置２０から赤外線で送信された所定のフォーマットの暗号解読用の鍵情報を、鍵情報受信用受光部３０４で受光すると、その受光信号（受信信号）を暗号鍵情報復号手段３０５に供給して復号する。暗号解読手段３０６は、上記の暗号鍵情報復号手段３０５で復号して得られた暗号解読用の鍵情報を使用して、伝送信号復号手段３０３から供給される受信暗号化ＡＶデータの暗号解読を行い、ＡＶデータを出力する。
【００３０】
このＡＶデータは、ＡＶデータ復号手段３０７に供給され、例えばＭＰＥＧ２デコード等を行われた後にＤ／Ａ変換され、ディスプレイ及びスピーカーシステム３０８により画像表示及び音声出力され、前記記録媒体１０１から読み出された所望のＡＶコンテンツの再生が行われる。
【００３１】
なお、鍵情報受信用受光部３０４にて、暗号解読用の鍵情報が受信されていないＡＶコンテンツ再生装置３０では、当然であるが、暗号鍵情報復号手段３０５により暗号解読用の鍵情報がされないので、暗号化されたＡＶデータは暗号解読手段３０６により暗号解読されず、ＡＶストリームは再生することができない。  このように、本実施の形態によれば、ＡＶストリームは広指向性、かつ、高レートの伝送が可能な無線伝送路４０を利用し、他方、ＡＶストリーム用の無線伝送路４０とは異なる伝送路にて暗号解読用の鍵情報を狭指向性の赤外線光伝送路を用いて伝送するようにしたため、ＡＶストリームと暗号解読用の鍵情報とが同時に、第三者に漏洩する可能性を少なくでき、よって、暗号の解読を従来に比べて困難にすることができる。
【００３２】
また、本実施の形態によれば、暗号解読用の鍵情報を従来からユーザが使い慣れているリモートコントロール装置２０を用い、なおかつ、既に普及している着脱可能なメモリカード等の着脱可能記憶装置１０８により鍵情報を受け渡す方法とを組み合わせることで、ユーザはＡＶストリーム再生装置１０からリモートコントロール装置２０に着脱可能記憶装置１０８を移動する手順を追加する以外は従来と変わらない利用方法で、高音質、かつ、高画質のＡＶコンテンツを楽しむことができる。
【００３３】
次に、本発明の他の実施の形態について説明する。図３は本発明になるＡＶストリーム伝送システムを構成する各部の他の実施の形態のブロック図を示す。同図中、図２と同一構成部分には同一符号を付し、その説明を省略する。図３に示す実施の形態は、ＡＶストリーム再生装置１１とリモートコントロール装置２１の構成が、図２の実施の形態のＡＶストリーム再生装置１０とリモートコントロール装置２０における暗号解読に必要な鍵情報の伝送手段と若干異なる。
【００３４】
すなわち、図３に示す実施の形態では、ＡＶストリーム再生装置１１は、ＡＶストリーム暗号解読の鍵情報を、メモリ内に記憶されているデータを一度読み出すと、メモリ内からデータが消去される着脱可能記憶装置として、例えばＦＩＦＯ（First In First Out）による着脱可能記憶装置１１０に記憶する構成とされている。また、リモートコントロール装置２１は、メモリスロットに挿入されたＦＩＦＯによる着脱可能記憶装置１１０から暗号解読に必要な鍵情報を暗号鍵情報再生手段２０６により読み出す構成とされている。
【００３５】
次に、本実施の形態の動作について説明する。図３において、暗号化手段１０４は、暗号化されたＡＶデータとは別に、暗号化されたＡＶデータを復号化するための暗号解読に必要な鍵情報を、暗号鍵情報記憶手段１０６を介して例えばＦＩＦＯによる着脱可能記憶装置１１０に記憶させる。ここで、暗号化手段１０４は、暗号解読に必要な鍵情報を毎回変更するようにしてもよい。
【００３６】
暗号解読に必要な鍵情報が記憶されたＦＩＦＯによる着脱可能記憶装置１１０は、ユーザによりＡＶストリーム再生装置１１から取り出されて、リモートコントロール装置２１のメモリスロットに挿入される。すると、リモートコントロール装置２１は、暗号解読に必要な鍵情報をリモートコントロール装置２１からＡＶコンテンツ再生装置３０に伝送するために、暗号鍵情報再生手段２０６によってＦＩＦＯによる着脱可能記憶装置１１０から暗号解読に必要な鍵情報を読み出して第二の伝送信号生成手段２０３に供給する。
【００３７】
ここで、ＦＩＦＯによる着脱可能記憶装置１１０に記憶されていた鍵情報は、暗号鍵情報再生手段２０６により一度読み出されると強制的に消去される。この場合、ＦＩＦＯによる着脱可能記憶装置１１０自体が、記憶鍵情報が読み出されると記憶鍵情報が消去される構成でもよいし、暗号鍵情報再生手段２０６がＦＩＦＯによる着脱可能記憶装置１１０から鍵情報を読み出すと、強制的に着脱可能記憶装置１１０の記憶鍵情報を消去する構成でもよい。
【００３８】
第二の伝送信号生成手段２０３は、入力された暗号解読に必要な鍵情報を、赤外線により送信可能な信号フォーマットに変換した後に、鍵情報送信用発光部２０４から再生したいＡＶコンテンツ再生装置３０に対して鍵情報を赤外線で送信する。
【００３９】
以下、図２の実施の形態と同様にして、リモートコントロール装置２１から赤外線で送信された所定のフォーマットの暗号解読用の鍵情報が、ＡＶコンテンツ再生装置３０内の鍵情報受信用受光部３０４で受光され、暗号鍵情報復号手段３０５で復号される。暗号解読手段３０６は、暗号鍵情報復号手段３０５で復号して得られた暗号解読用の鍵情報を使用して、伝送信号復号手段３０３から供給される受信暗号化ＡＶデータの暗号解読を行い、ＡＶデータを出力する。
【００４０】
図２と共に説明した実施の形態では、着脱可能記憶装置１０８がスマートメディアやＳＤカードであり、記録された暗号解読用の鍵情報はリモートコントロール装置２０のスロットに挿入して読み出しを行っても消去されることはないので、第三者が何らかの方法で着脱可能記憶装置１０８を取得して不正な記憶装置に鍵情報を書き込まれることが可能であり、この場合には不正な第三者により傍受された無線電波で伝送されている暗号化されたＡＶデータが、上記の鍵情報を用いて解読される可能性がある。
【００４１】
これに対し、本実施の形態では、ＦＩＦＯによる着脱可能記憶装置１１０に記憶されていた鍵情報は、暗号鍵情報再生手段２０６により一度読み出されると強制的に消去されるため、その後に第三者が何らかの方法でＦＩＦＯによる着脱可能記憶装置１１０を取得して不正な記憶装置に鍵情報を書き込もうとしても書き込めないため、無線電波で伝送される暗号化されたＡＶストリームを傍受して他の再生装置で再生しようとしても、暗号解読ができないので正常に再生できない。
【００４２】
すなわち、例えば、正当な使用者がリモートコントロール装置２１によりＦＩＦＯによる着脱可能記憶装置１１０から正常に鍵情報を読み出して再生し、ＡＶコンテンツ再生装置３０にて正常に記録媒体１０１から読み出された所望のＡＶコンテンツの再生が行われている状態、あるいは再生した後において、第三者が不正にリモートコントロール装置２１からＦＩＦＯによる着脱可能記憶装置１１０を窃取し、それを用いて無線電波で伝送される暗号化されたＡＶストリームを傍受している別の再生装置で暗号鍵を再生しようとしても、暗号鍵が再生できないのでＡＶコンテンツの正常再生が阻止される。従って、本実施の形態は図２の実施の形態よりもセキュリティを強化できる。
【００４３】
また、ＡＶストリーム再生装置１１で新たにＡＶデータを暗号化して送信する都度、ＦＩＦＯによる着脱可能記憶装置１１０に記憶する鍵情報を変更することにより、よりセキュリティを強化できる。
【００４４】
なお、本発明は以上の実施の形態に限定されるものではなく、例えば、ＡＶストリームの伝送路は、ｘＤＳＬのような有線系であっても、ＩＥＥＥ８０２.１１ａやギガビット光伝送のような無線系のどちらであっても構わない。また、ＴＣＰ／ＩＰによる伝送路であってもよい。また、暗号解読の鍵情報の伝送路は少なくともＡＶストリームの伝送路と異なる伝送路であればよく、リモートコントロール装置２０、２１において、画像再生部のコントロール信号を送信する装置と異なっていても構わず、例えば、レーザーポインタのような指向性が狭い光伝送装置をリモートコントロール装置に追加して、さらにセキュリティ性を高めても構わない。
【００４５】
更に、暗号解読の鍵情報の伝送路とＡＶストリームの伝送路とは異なる伝送路であればよいから、同じ無線信号の場合でも異なる周波数帯で暗号解読の鍵情報と暗号化されたＡＶストリームとを別々に伝送する場合や、異なる有線ケーブルで暗号解読の鍵情報と暗号化されたＡＶストリームとを別々に伝送する場合も、本明細書にいう「異なる伝送路」に含まれる。また、ＡＶストリーム再生装置１０、１１は、記録媒体１０１からのＡＶデータに代えて、ネットワークを介して配信されたＡＶデータを受信した後、暗号化して送信することも可能である。
【図面の簡単な説明】
【００４６】
【図１】本発明の一実施形態のシステム構成を示す図である。
【図２】本発明の一実施の形態の各部のブロック図である。
【図３】本発明の他の実施の形態の各部のブロック図である。
【符号の説明】
【００４７】
１０、１１    ＡＶストリーム再生装置
２０、２１    リモートコントロール装置
３０、３０ａ、３０ｂ    ＡＶコンテンツ再生装置
１０１  ＡＶストリーム記録済みの記録媒体
１０３  ＡＶデータ読み出し手段
１０４  暗号化手段
１０５  第一の伝送信号生成手段
１０６  暗号鍵情報記憶手段
１０７  暗号化ＡＶデータ送信手段
１０８  着脱可能記憶装置
１０９  ＡＶストリーム送信用無線アンテナ
１１０  ＦＩＦＯによる着脱可能記憶装置
２０１  メモリスロット
２０２、２０６  暗号鍵情報再生手段
２０３  第二の伝送信号生成手段
２０４  鍵情報送信用発光部
３０１、３０１ａ、３０１ｂ  ＡＶストリーム受信用無線アンテナ
３０２  暗号化ＡＶデータ受信手段
３０３  伝送信号復号手段
３０４、３０４ａ、３０４ｂ  鍵情報受信用受光部
３０５  暗号鍵情報復号手段
３０６  暗号解読手段
３０７  ＡＶデータ復号手段
３０８  ディスプレイ及びスピーカーシステム
【図１】
2004320708.tif 000003
【図２】
2004320708.tif 000004
【図３】
2004320708.tif 000005